(57)【要約】【課題】より安価なシステムで、簡単に、所望の視覚の情報に対応する音声を出力するための音声情報を検索する。【解決手段】  リーダ５３は、リングにより連結されたカードのそれぞれに設けられているRFIDから送信されてくる、個々のカードを識別するためのID番号を受信する。音声再生記録装置４３は、カードに記載された文字に対応する音声を出力するための音声情報を特定する音声情報の名前とID番号との関連付けを示す関連付け情報から、受信した識別情報に関連付けられている音声情報の名前を検索する。音声再生記録装置４３は、検索された音声情報の名前を基に、予め記録されている音声情報を読み出す。本発明は、語学を学習するための学習システムに適用できる。【選択図】図３
2005308875.tif 000002
【特許請求の範囲】
【請求項１】
連結手段により連結されたカードのそれぞれに設けられている、個々の前記カードを識別するための識別情報を送信する送信手段と、
前記識別情報を受信する受信手段と、
前記カードに記載された文字または画像に対応する音声を出力するための音声情報を特定する音声特定情報と前記識別情報との関連付けを示す関連付け情報であって、予め記録されている関連付け情報から、受信した前記識別情報に関連付けられている前記音声特定情報を検索する検索手段と、
検索された前記音声特定情報を基に、予め記録されている前記音声情報を読み出す読み出し手段と
を含むことを特徴とする情報検索システム。
【請求項２】
読み出された前記音声情報を基に、前記カードに記載された前記文字または前記画像に対応する前記音声を出力する出力手段をさらに含む
ことを特徴とする請求項１に記載の情報検索システム。
【請求項３】
前記連結手段は、着脱自在に前記カードを連結する
ことを特徴とする請求項１に記載の情報検索システム。
【請求項４】
前記カードに記載された前記文字または前記画像に対応する前記音声を出力するための前記音声情報を生成する生成手段と、
生成した前記音声情報を特定する前記音声特定情報と前記識別情報とを関連付けて、前記関連付け情報を生成する生成手段と、
前記音声情報の記録を制御する第１の記録制御手段と、
前記関連付け情報の記録を制御する第２の記録制御手段と
をさらに含むことを特徴とする請求項１に記載の情報検索システム。
【請求項５】
連結手段により連結されたカードのそれぞれに設けられている、個々の前記カードを識別するための識別情報を送信する送信手段と、前記識別情報を受信する受信手段とを含む情報検索システムの情報検索方法において、
前記カードに記載された文字または画像に対応する音声を出力するための音声情報を特定する音声特定情報と前記識別情報との関連付けを示す関連付け情報であって、予め記録されている関連付け情報から、受信した前記識別情報に関連付けられている前記音声特定情報を検索する検索ステップと、
検索された前記音声特定情報を基に、予め記録されている前記音声情報を読み出す読み出しステップと
を含むことを特徴とする情報検索方法。
【請求項６】
連結手段により連結されたカードのそれぞれに設けられている、個々の前記カードを識別するための識別情報を送信する送信手段と、前記識別情報を受信する受信手段とを含む情報検索システムの情報検索処理用のプログラムであって、
前記カードに記載された文字または画像に対応する音声を出力するための音声情報を特定する音声特定情報と前記識別情報との関連付けを示す関連付け情報であって、予め記録されている関連付け情報から、受信した前記識別情報に関連付けられている前記音声特定情報を検索する検索ステップと、
検索された前記音声特定情報を基に、予め記録されている前記音声情報を読み出す読み出しステップと
を含むことを特徴とするコンピュータが読み取り可能なプログラムが記録されている記録媒体。
【請求項７】
連結手段により連結されたカードのそれぞれに設けられている、個々の前記カードを識別するための識別情報を送信する送信手段と、前記識別情報を受信する受信手段とを含む情報検索システムのコンピュータに、情報検索処理を行わせるプログラムにおいて、
前記カードに記載された文字または画像に対応する音声を出力するための音声情報を特定する音声特定情報と前記識別情報との関連付けを示す関連付け情報であって、予め記録されている関連付け情報から、受信した前記識別情報に関連付けられている前記音声特定情報を検索する検索ステップと、
検索された前記音声特定情報を基に、予め記録されている前記音声情報を読み出す読み出しステップと
を含むことを特徴とするプログラム。
【発明の詳細な説明】
【技術分野】
【０００１】
本発明は情報検索システムおよび情報検索方法、記録媒体、並びにプログラムに関し、特に、所望の音声を出力するための音声情報を簡単に読み出しできるようにした情報検索システムおよび情報検索方法、記録媒体、並びにプログラムに関する。
【背景技術】
【０００２】
言語を学習するための様々な種類の機器が使用されている。例えば、自分で学習したい単語を機器に入力して、入力した単語を表示させる単語帳機能を備えた電子機器が利用されている。
【０００３】
RAM（Random Access Memory）を内蔵し、音声データをデジタル表示するディスプレイ画面と操作パネルとを備えたプレーヤに、音声波形をディスプレイ画面に表示し、音声波形を目で見ながら音声波形にスペースを加えたり、聞き取れない単語の音声の波形だけを抜き出したりして、音声波形を加工して初学習者にも聞き取れる音声に加工する語学のヒアリング装置がある（例えば、特許文献１参照）。
【０００４】
また、単語の発音記号の近傍に該単語の音声情報であるバーコードを記載した辞書と、辞書のバーコードから音声情報を読み取るためのバーコード読取部と、音声情報から該単語の発音を音声合成して出力する音声合成出力部と、音声情報から単語の文字列を作成してキャラクタ・ディスプレイに表示する綴り変換表示部と、読み取った音声情報を記憶操作部からの操作で逐次記憶して任意に読み出すための記憶手段とで構成される単語学習装置がある（例えば、特許文献２参照）。
【０００５】
さらに、入力手段により使用者が必要とする第一言語とその発音の使用者が必要とする部分のみおよびアクセントを第一言語の各文字と上下に対応する位置に入力し、使用者が必要とする第二言語による訳語を入力してそれらを記憶手段のディスクに記憶、保存し、記憶内容を検索手段により検索、読出して表示手段に表示し、その第二言語による訳語のみを非表示に選択して使用者がそれを暗記しているかの確認をしやすくできるようにしているものもある（例えば、特許文献３参照）。
【０００６】
さらにまた、通常の操作で任意の見出し語として例えば「タワー」を検索して表示させ、その表示画面の入力操作ボタンを押して入力操作選択画面を表示させる電子辞書システムもある（例えば、特許文献４参照）。この電子辞書システムにおいては、音声入力、手書き入力、キー入力、画像入力の内から例えば画像入力を選択して、デジカメ、画像データ媒体、インターネット等に接続してから取込ボタンを押すと所望の画像データが取り込まれて表示され、登録ボタンで登録されると、最初の検索見出し語表示画面に戻って、その画面の右上にカメラアイコンが表示される。登録されたデータが音声入力の場合はスピーカアイコン、手書き入力の場合は手書きアイコン、キー入力の場合は、キーアイコンが表示される。アイコンを押すと登録されているデータ（補足データ）が音声、手書き表示、キャラクタ、又は画像で出力される。
【０００７】
【特許文献１】実開平７−５１５４号公報
【０００８】
【特許文献２】実開昭６３−１１３１８０号公報
【０００９】
【特許文献３】特開２００３−１１４８８８号公報
【００１０】
【特許文献４】特開２００２−２０７７５４号公報
【発明の開示】
【発明が解決しようとする課題】
【００１１】
従来の紙の単語帳では、視覚の情報でのみ解答を確認することができる。安価なシステムにおいて、発音や発声の抑揚を簡単に記録することはできない。
【００１２】
従来の電子単語帳においては、自分で学習したい単語について電子単語帳にキーを操作して入力しなければならず、単語の入力に手間がかかる。
【００１３】
電子機器である単語学習機器は、高価であり、このような単語学習機器の取り扱いや持ち運びには注意が必要である。例えば、このような単語学習機器を外出時に持ち出す場合には、電子精密機器と同様の取り扱いが必要となり、また、その取り扱いは煩雑である。
【００１４】
本発明は、より安価なシステムで、簡単に、所望の視覚の情報に対応する音声を出力するための音声情報を検索することができるようにすることを目的とする。さらに、検索の結果を基に、簡単に、所望の視覚の情報に対応する音声を出力することができる。
【課題を解決するための手段】
【００１５】
本発明の情報検索システムは、連結手段により連結されたカードのそれぞれに設けられている、個々のカードを識別するための識別情報を送信する送信手段と、識別情報を受信する受信手段と、カードに記載された文字または画像に対応する音声を出力するための音声情報を特定する音声特定情報と識別情報との関連付けを示す関連付け情報であって、予め記録されている関連付け情報から、受信した識別情報に関連付けられている音声特定情報を検索する検索手段と、検索された音声特定情報を基に、予め記録されている音声情報を読み出す読み出し手段とを含むことを特徴とする。
【００１６】
情報検索システムは、読み出された音声情報を基に、カードに記載された文字または画像に対応する音声を出力する出力手段をさらに設けることができる。
【００１７】
連結手段は、着脱自在にカードを連結するようにすることができる。
【００１８】
情報検索システムは、カードに記載された文字または画像に対応する音声を出力するための音声情報を生成する生成手段と、生成した音声情報を特定する音声特定情報と識別情報とを関連付けて、関連付け情報を生成する生成手段と、音声情報の記録を制御する第１の記録制御手段と、関連付け情報の記録を制御する第２の記録制御手段とをさらに設けることができる。
【００１９】
本発明の情報検索方法は、連結手段により連結されたカードのそれぞれに設けられている、個々のカードを識別するための識別情報を送信する送信手段と、識別情報を受信する受信手段とを含む情報検索システムの情報検索方法であって、カードに記載された文字または画像に対応する音声を出力するための音声情報を特定する音声特定情報と識別情報との関連付けを示す関連付け情報であって、予め記録されている関連付け情報から、受信した識別情報に関連付けられている音声特定情報を検索する検索ステップと、検索された音声特定情報を基に、予め記録されている音声情報を読み出す読み出しステップとを含むことを特徴とする。
【００２０】
本発明の記録媒体のプログラムは、連結手段により連結されたカードのそれぞれに設けられている、個々のカードを識別するための識別情報を送信する送信手段と、識別情報を受信する受信手段とを含む情報検索システムの情報検索処理用のプログラムであって、カードに記載された文字または画像に対応する音声を出力するための音声情報を特定する音声特定情報と識別情報との関連付けを示す関連付け情報であって、予め記録されている関連付け情報から、受信した識別情報に関連付けられている音声特定情報を検索する検索ステップと、検索された音声特定情報を基に、予め記録されている音声情報を読み出す読み出しステップとを含むことを特徴とする。
【００２１】
本発明のプログラムは、連結手段により連結されたカードのそれぞれに設けられている、個々のカードを識別するための識別情報を送信する送信手段と、識別情報を受信する受信手段とを含む情報検索システムのコンピュータに、情報検索処理を行わせるプログラムであって、カードに記載された文字または画像に対応する音声を出力するための音声情報を特定する音声特定情報と識別情報との関連付けを示す関連付け情報であって、予め記録されている関連付け情報から、受信した識別情報に関連付けられている音声特定情報を検索する検索ステップと、検索された音声特定情報を基に、予め記録されている音声情報を読み出す読み出しステップとを含むことを特徴とする。
【００２２】
本発明の情報検索システムおよび情報検索方法、記録媒体、並びにプログラムにおいては、カードに記載された文字または画像に対応する音声を出力するための音声情報を特定する音声特定情報と、受信された個々のカードを識別するための識別情報との関連付けを示す関連付け情報であって、予め記録されている関連付け情報から、受信した識別情報に関連付けられている音声特定情報が検索され、検索された音声特定情報を基に、予め記録されている音声情報が読み出される。
【発明の効果】
【００２３】
本発明によれば、視覚によって情報を確認することができる。また、本発明によれば、より安価なシステムで、簡単に、所望の視覚の情報に対応する音声を出力するための音声情報を検索することができる。
【発明を実施するための最良の形態】
【００２４】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２５】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２６】
本発明によれば、情報検索システムが提供される。この情報検索システムは、連結手段（例えば、図１のリング１２）により連結されたカード（例えば、図１のカード１１−１）のそれぞれに設けられている、個々のカードを識別するための識別情報（例えば、ID番号）を送信する送信手段（例えば、図１のRFID２１−１）と、識別情報を受信する受信手段（例えば、図３のリーダ５３）と、カードに記載された文字または画像に対応する音声を出力するための音声情報（例えば、図８で示される音声情報１７１−１）を特定する音声特定情報（例えば、図８で示される音声情報１７１−１の名前）と識別情報との関連付けを示す関連付け情報であって、予め記録されている関連付け情報（例えば、図９で示される関連付け情報１９１−１）から、受信した識別情報に関連付けられている音声特定情報を検索する検索手段（例えば、図７の音声情報名検索部１５３）と、検索された音声特定情報を基に、予め記録されている音声情報を読み出す読み出し手段（例えば、図７の音声情報読み出し部１５４）とを含む。
【００２７】
情報検索システムは、読み出された音声情報を基に、カードに記載された文字または画像に対応する音声を出力する出力手段（例えば、図５の入出力インターフェース９５）をさらに設けることができる。
【００２８】
連結手段は、着脱自在にカードを連結するようにすることができる。
【００２９】
情報検索システムは、カードに記載された文字または画像に対応する音声を出力するための音声情報を生成する生成手段（例えば、図７の音声情報取得部１５５）と、生成した音声情報を特定する音声特定情報と識別情報とを関連付けて、関連付け情報を生成する生成手段（例えば、図７の関連付け処理部１５６）と、音声情報の記録を制御する第１の記録制御手段（例えば、図７の音声情報データベース１５１）と、関連付け情報の記録を制御する第２の記録制御手段（例えば、図７の関連付け情報データベース１５２）とをさらに設けることができる。
【００３０】
本発明によれば、情報検索方法が提供される。この情報検索方法は、連結手段（例えば、図１のリング１２）により連結されたカード（例えば、図１のカード１１−１）のそれぞれに設けられている、個々のカードを識別するための識別情報（例えば、ID番号）を送信する送信手段（例えば、図１のRFID２１−１）と、識別情報を受信する受信手段（例えば、図３のリーダ５３）とを含む情報検索システムの情報検索方法であって、カードに記載された文字または画像に対応する音声を出力するための音声情報（例えば、図８で示される音声情報１７１−１）を特定する音声特定情報（例えば、図８で示される音声情報１７１−１の名前）と識別情報との関連付けを示す関連付け情報（例えば、図９で示される関連付け情報１９１−１）であって、予め記録されている関連付け情報から、受信した識別情報に関連付けられている音声特定情報を検索する検索ステップ（例えば、図１０のステップＳ１３の処理）と、検索された音声特定情報を基に、予め記録されている音声情報を読み出す読み出しステップ（例えば、図１０のステップＳ１４の処理）とを含む。
【００３１】
本発明によれば、プログラムが提供される。このプログラムは、連結手段（例えば、図１のリング１２）により連結されたカード（例えば、図１のカード１１−１）のそれぞれに設けられている、個々のカードを識別するための識別情報（例えば、ID番号）を送信する送信手段（例えば、図１のRFID２１−１）と、識別情報を受信する受信手段（例えば、図３のリーダ５３）とを含む情報検索システムのコンピュータに、情報検索処理を行わせるプログラムであって、カードに記載された文字または画像に対応する音声を出力するための音声情報（例えば、図８で示される音声情報１７１−１）を特定する音声特定情報（例えば、図８で示される音声情報１７１−１の名前）と識別情報との関連付けを示す関連付け情報（例えば、図９で示される関連付け情報１９１−１）であって、予め記録されている関連付け情報から、受信した識別情報に関連付けられている音声特定情報を検索する検索ステップ（例えば、図１０のステップＳ１３の処理）と、検索された音声特定情報を基に、予め記録されている音声情報を読み出す読み出しステップ（例えば、図１０のステップＳ１４の処理）とを含む。
【００３２】
このプログラムは、記録媒体（例えば、図５の光磁気ディスク１１１）に記録することができる。
【００３３】
以下、情報検索システムの一例としての、本発明に係る学習システムについて説明する。
【００３４】
図１乃至図３は、本発明に係る学習システムの一実施の形態を示す図である。図１および図２は、学習システムを構成する単語帳の形態を示す図である。
【００３５】
単語帳１は、カード１１−１乃至カード１１−５およびリング１２で構成される。
【００３６】
カード１１−１乃至カード１１−５は、それぞれ、単語の記載に適した大きさの、所定の厚みをもった紙からなる。カード１１−１の一方の面には、例えば、１つの日本語の単語が記載されている。カード１１−１の他方の面には、その一方の面に記載されている日本語の単語の中国語による訳語（単語）が記載され、さらに、その中国語の単語の中国語の発音記号が記載されている。
【００３７】
以下に、カード１１−１の他方の面に記載される中国語の単語の一例のイメージを示す。
2005308875.tif 000003
以下、この明細書において、上記のイメージに示される中国語の単語を「ニーハオ」と記載する。
【００３８】
カード１１−１の一方の面には、例えば、日本語の単語である「こんにちは」が記載されている。カード１１−１の他方の面には、その一方の面に記載されている「こんにちは」の中国語の訳語である、１つの中国語の単語「ニーハオ」が記載され、さらに、「ニーハオ」の中国語の発音記号が記載されている。
【００３９】
同様に、カード１１−２乃至カード１１−５のそれぞれの一方の面には、日本語の単語が記載され、カード１１−２乃至カード１１−５のそれぞれの他方の面には、その一方の面に記載されている日本語の単語の中国語による訳語およびその発音記号が記載されている。
【００４０】
ここで、カード１１−１乃至カード１１−５の他方の面に記載されている、中国語の発音記号は、中国語の発音と発声の抑揚とを示す、いわゆるピンインである。
【００４１】
カード１１−１には、RFID（Radio Frequency Identification）２１−１が接着されている。図示は省略するが、カード１１−２乃至カード１１−５のそれぞれには、RFID２１−２乃至RFID２１−５のそれぞれが接着されている。例えば、RFID２１−１乃至RFID２１−５のそれぞれの読み取り面（後述するリーダに近接させる側の面）が、カード１１−１乃至カード１１−５のそれぞれの、中国語による訳語およびその発音記号が記載されている他方の面と一致するように、RFID２１−１乃至RFID２１−５のそれぞれは、カード１１−１乃至カード１１−５のそれぞれに接着されている。
【００４２】
言い換えれば、RFID２１−１乃至RFID２１−５のそれぞれの読み取り面が、カード１１−１乃至カード１１−５のそれぞれの解答を記載する面と一致するように、RFID２１−１乃至RFID２１−５のそれぞれは、カード１１−１乃至カード１１−５のそれぞれに接着されている。
【００４３】
RFID２１−１乃至RFID２１−５は、内蔵されている半導体メモリに固有のID番号を記憶し、半導体メモリからID番号を読み出して、誘導電磁界または電波を介した近距離通信で、読み出したID番号を送信する。ID番号は、カード１１−１乃至カード１１−５のそれぞれを識別するための識別情報の一例である。
【００４４】
例えば、RFID２１−１が記憶しているID番号は、カード１１−１を識別するための識別情報であり、その値は、０００１である。例えば、RFID２１−２が記憶しているID番号は、カード１１−２を識別するための識別情報であり、その値は、０００２である。例えば、RFID２１−３が記憶しているID番号は、カード１１−３を識別するための識別情報であり、その値は、０００３である。
【００４５】
カード１１−２乃至カード１１−５は、リング１２により着脱自在に連結されている。リング１２は、使用者により開くことができる。使用者は、リング１２を開いて、さらにカードを加えたり、カード１１−２乃至カード１１−５のいずれかを取り除いたり、リング１２により連結されるカード１１−２乃至カード１１−５を任意に選定することができる。
【００４６】
以下、カード１１−２乃至カード１１−５を個々に区別する必要がないとき、単に、カード１１と称する。以下、RFID２１−１乃至RFID２１−５を個々に区別する必要がないとき、単に、RFID２１と称する。
【００４７】
使用者は、リング１２により、所望の数のカード１１を連結することができる。
【００４８】
なお、RFID２１は、カード１１に接着されていると説明したが、RFID２１は、カード１１に固定されていれば足りる。例えば、１枚のカード１１の中にRFID２１が挟み込まれる（埋め込まれる）ことにより、RFID２１をカード１１に固定するようにしてもよい。
【００４９】
また、使用者が、学習したい文字または画像をカード１１に自由に記載することができるようにしてもよい。
【００５０】
図３は、学習システムを構成するマイクロフォン付きヘッドフォン、コントロールクリップ、および音声再生記録装置の形態を示す図である。
【００５１】
マイクロフォン付きヘッドフォン４１は、コントロールクリップ４２に接続され、コントロールクリップ４２は、音声再生記録装置４３に接続されている。マイクロフォン付きヘッドフォン４１は、コントロールクリップ４２を介して、音声再生記録装置４３に接続されている。
【００５２】
マイクロフォン付きヘッドフォン４１は、ラウドスピーカ５１およびマイクロフォン５２で構成される。ラウドスピーカ５１は、コントロールクリップ４２を介して音声再生記録装置４３から供給された音声信号を基に、音声を出力する。マイクロフォン５２は、使用者の発声した音声を取得して、取得した音声の音声信号をコントロールクリップ４２を介して音声再生記録装置４３に供給する。
【００５３】
コントロールクリップ４２は、衣服のポケットなどを挟んで固定できる、いわゆるリモートコントローラである。コントロールクリップ４２には、RFID２１からID番号を読み出すリーダ５３が設けられている。また、コントロールクリップ４２には、音量調整ボリューム５４および録音スタートスイッチ５５が設けられている。さらに、図示は省略するが、コントロールクリップ４２は、音声再生記録装置４３の各種の操作に必要な、ボタン、スイッチ、表示装置などを備える。
【００５４】
リーダ５３は、使用者によりカード１１に接着されたRFID２１が近づけられると、近づけられたRFID２１からID番号を読み出す。リーダ５３は、読み出したID番号を音声再生記録装置４３に供給する。
【００５５】
使用者により音量調整ボリューム５４が操作されると、音量調整ボリューム５４は、音量を調整させるための信号を音声再生記録装置４３に供給する。音声再生記録装置４３は、コントロールクリップ４２から音量を調整させるための信号が送信されてくると、調整させるための信号に基づいて、マイクロフォン付きヘッドフォン４１のラウドスピーカ５１に供給する音声信号のレベル（ゲイン）を調整して、ラウドスピーカ５１において出力される音声の音量を調整する。
【００５６】
録音スタートスイッチ５５は、使用者により押圧された場合、音声の記録を開始させるか、または音声の記録を停止させる記録開始停止信号を音声再生記録装置４３に供給する。音声再生記録装置４３は、コントロールクリップ４２から記録開始停止信号が送信されてくると、音声を記録していない場合、音声の記録を開始し、音声を記録している場合、音声の記録を停止する。
【００５７】
音声再生記録装置４３は、音声情報を予め記録する。例えば、音声再生記録装置４３は、カード１１に記載された中国語の単語に対応する音声を出力するための音声情報を予め記録する。
【００５８】
また、音声再生記録装置４３は、音声情報を特定する音声特定情報と識別情報との関連付けを示す関連付け情報を予め記録する。例えば、音声再生記録装置４３は、音声情報を特定する音声特定情報の一例である音声情報の名前と、識別情報の一例であるID番号との関連付けを示す関連付け情報を予め記録する。
【００５９】
音声再生記録装置４３は、例えば、携帯型MD(Mini-Disc)（商標）プレーヤ（レコーダ）のように、持ち歩き可能（携帯できるよう）に構成されている。このようにすることで、使用者は、学習システムを持ち歩きながら、学習システムを使用して、学習することができる。従来の機器のように、取り扱いに注意を配る必要がなく、簡単に、故障しにくい構成とすることができる。
【００６０】
音声を再生する場合、音声再生記録装置４３は、コントロールクリップ４２のリーダ５３によりRFID２１から読み取られたID番号がコントロールクリップ４２から送信されてきたとき、予め記録されている関連付け情報から、送信されてきたID番号に関連付けられている音声情報の名前を検索する。そして、音声再生記録装置４３は、検索された音声情報の名前を基に、予め記録されている音声情報を読み出す。
【００６１】
なお、音声情報の名前は、音声情報を識別する情報であるので、音声情報とID番号とが関連付けられているとも言える。
【００６２】
音声再生記録装置４３は、読み出した音声情報を復号するなどして、音声信号を生成して、生成した音声信号をコントロールクリップ４２を介して、マイクロフォン付きヘッドフォン４１に供給する。マイクロフォン付きヘッドフォン４１は、コントロールクリップ４２を介して、音声再生記録装置４３から供給された音声信号を基に音声を出力する。
【００６３】
このように、使用者によりカード１１に接着されたRFID２１がリーダ５３に近づけられると、そのカード１１に記載された中国語の単語に対応する音声がマイクロフォン付きヘッドフォン４１から出力される。
【００６４】
音声再生記録装置４３が音声情報を記録するようにしたので、RFID２１は、ID番号のみを記憶すればよい。従って、RFIDが音声情報を記憶する場合に比較して、RFID２１の記憶容量をより小さくすることができ、より安価な、また物理的な容積のより小さいRFID２１で学習システムを実現することができる。
【００６５】
また、音声再生記録装置４３は、同じ記憶容量であればRFID２１に比較して、より安価な記録媒体（例えば、後述する光磁気ディスク）に音声情報を記録することができるので、さらに、より安価に学習システムを実現することができる。
【００６６】
さらに、音声再生記録装置４３は、マイクロフォン付きヘッドフォン４１のマイクロフォン５２において取得された音声の音声信号を基に、マイクロフォン５２において取得された音声を出力するための音声情報を生成して、生成した音声情報を記録する。音声情報を記録する場合、後述するように、コントロールクリップ４２のリーダ５３によりRFID２１から読み取られたID番号がコントロールクリップ４２から送信されてくるので、音声再生記録装置４３は、生成した音声情報の名前とID番号とを関連付けて、音声情報の名前とID番号との関連付けを示す関連付け情報を生成する。
【００６７】
音声再生記録装置４３は、関連付け情報を記録する。
【００６８】
図４は、RFID２１の機能の構成を示すブロック図である。
【００６９】
RFID２１は、アンテナ７１、電力発生部７２、変調部７３、発振回路７４、復調部７５、SPU（Signal Processing Unit）７６、バス７７、CPU（Central Processing Unit）７８、およびROM（Read Only Memory）７９を含むように構成される。
【００７０】
アンテナ７１は、リーダ５３から送信されてきた、ID番号の送信を要求する要求信号を受信し、受信した要求信号を復調部７５に供給する。アンテナ７１は、変調部７３から供給されたID番号を、無線通信を介して、リーダ５３あてに送信する。すなわち、例えば、アンテナ７１は、変調部７３から供給されたID番号を伝送するための電波を輻射する。また、アンテナ７１においては、リーダ５３から輻射される所定の周波数の電波により、共振が生じ、起電力が発生する。
【００７１】
電力発生部７２は、アンテナ７１に生じた交流の起電力を基に、直流電力を発生させ、発生させた直流電力をRFID２１の各部に供給する。なお、電力発生部７２に代えて、電池を内蔵し、内蔵されている電池がRFID２１の各部に電力を供給するようにしてもよい。
【００７２】
変調部７３は、発振回路７４から供給された所定の周波数のクロック信号を基に、搬送波を生成する。変調部７３は、搬送波に基づいて、SPU７６から供給されたID番号を所定の方式により変調することにより変調したID番号を生成し、変調したID番号をアンテナ７１に供給する。例えば、変調部７３は、SPU７６より供給されたマンチェスター符号化方式で符号化されたID番号をさらにASK（Amplitude Shift Keying）変調し、変調されたID番号を、アンテナ７１を介してリーダ５３に送信する。
【００７３】
また、例えば、変調部７３は、SPU７６から供給されるID番号に対応して、例えば、所定のスイッチング素子（図示せず）をオン／オフさせ、スイッチング素子がオン状態であるときだけ、所定の負荷をアンテナ７１に並列に接続させることにより、アンテナ７１の負荷を変動させる。ASK変調されたID番号は、アンテナ７１の負荷の変動により、アンテナ７１を介してリーダ５３に送信される（リーダ５３のアンテナ１２１の端子電圧を変動させる）（ロードスイッチング方式）。
【００７４】
発振回路７４は、アンテナ７１が受信する要求信号の周波数と同じ周波数のクロック信号を生成し、生成したクロック信号を変調部７３に供給する。例えば、発振回路７４はPLL（Phase Locked Loop）回路を内蔵し、要求信号のクロック周波数と同一の周波数のクロック信号を発生する。
【００７５】
復調部７５は、アンテナ７１から供給された要求信号を、リーダ５３の変調部１２２（図６を参照して後述する）の変調方式に対応する復調方式により復調し、復調した要求信号をSPU７６に供給する。例えば、復調部７５は、アンテナ７１を介して受信したASK変調波である要求信号を包絡線検波して復調し、復調後の要求信号をSPU７６に出力する。
【００７６】
SPU７６は、復調部７５から供給された要求信号を所定の方式により復号し、復号した要求信号をCPU７８に供給する。SPU７６は、CPU７８から供給されたID番号を、所定の符号化方式により符号化し、符号化したID番号を変調部７３に供給する。例えば、SPU７６は、復調部７５で復調されたデータがマンチェスタ符号化方式で符号化されている場合、図示せぬPLL回路から供給されるクロック信号に基づいて、そのデータの復号（マンチェスターコードのデコード）を行い、復号したデータをCPU７８に供給する。例えば、SPU７６は、CPU７８から供給されたID番号をマンチェスタ符号化方式で符号化し、マンチェスタ符号化方式で符号化されたID番号を変調部７３に供給する。
【００７７】
CPU７８は、ROM７９に記憶されているプログラムに従って、各種の処理を実行する。例えば、CPU７８は、SPU７６から供給された要求信号を基に、CPU７８のROM７９に予め記憶されているID番号を読み込み（取得し）、バス７７を介して、取得したID番号をSPU７６に供給する。
【００７８】
ROM７９は、CPU７８が実行するプログラムや各種のデータを記憶している。また、ROM７９は、RFID２１が接着されているカード１１を識別するためのID番号を予め記憶している。なお、ROM７９は、例えば、マスクROM、フラッシュメモリ、EPROM（Erasable Programmable Read Only Memory）、またはEEPROM（Electrically Erasable Programmable Read Only Memory）などの不揮発性のメモリとすることができる。
【００７９】
SPU７６、CPU７８、およびROM７９は、バス７７を介して、相互に接続されている。
【００８０】
図５は、音声再生記録装置４３の機能の構成を示すブロック図である。
【００８１】
音声再生記録装置４３は、CPU９１、ROM９２、RAM（Random Access Memory）９３、バス９４、入出力インターフェース９５、入力部９６、出力部９７、およびドライブ９８を含むように構成される。
【００８２】
CPU９１は、ROM９２に記憶されているプログラム、またはドライブ９８からロードされRAM９３に記憶されているプログラムに従って各種の処理を実行する。CPU９１は、音声再生記録装置４３全体を制御する。
【００８３】
ROM９２は、CPU９１が実行するプログラム、または固定のパラメータを記憶する。RAM９３は、CPU９１が実行するプログラムやプログラムの実行に必要なデータなどを適宜記憶する。これらのCPU９１、ROM９２、およびRAM９３は、バス９４により相互に接続されている。
【００８４】
CPU９１にはまた、バス９４を介して入出力インターフェース９５が接続されている。入出力インターフェース９５には、ボタン、スイッチなどよりなる入力部９６、液晶表示装置またはEL（Electro Luminescence）表示装置などのディスプレイ、ラウドスピーカ、ランプなどよりなる出力部９７、例えば、MD(Mini-Disc)（商標）などの光磁気ディスク１１１を駆動するドライブ９８、およびコントロールクリップ４２が接続されている。CPU９１は、入力部９６から入力される指令または装着されているコントロールクリップ４２から送信されてくる指令若しくはデータに対して各種の処理を実行する。
【００８５】
入出力インターフェース９５に接続されている出力部９７は、CPU９１から供給されたデータを基に、画像を表示させるか、音声を出力し、さらにまた、発光する。
【００８６】
ドライブ９８は、例えば、装着されている光磁気ディスク１１１を駆動して、装着されている光磁気ディスク１１１に記録されている各種のデータまたはプログラムを読み出す。ドライブ９８は、装着されている光磁気ディスク１１１から読み出した各種のデータまたはプログラムをCPU９１またはRAM９３に供給する。光磁気ディスク１１１は、CPU９１が実行するプログラムや各種のデータを記録する。例えば、光磁気ディスク１１１は、音声情報または関連付け情報などを記録する。
【００８７】
なお、ドライブ９８は、光磁気ディスク１１１に限らず、光ディスクまたは磁気ディスクなどのいわゆるリムーバブルメディアを駆動するようにしてもよい。さらに、ドライブ９８に代えて、ハードディスクドライブなどを設けるようにしてもよい。
【００８８】
図６は、リーダ５３の機能の構成を示すブロック図である。
【００８９】
リーダ５３は、アンテナ１２１、変調部１２２、発振回路１２３、復調部１２４、SPU１２５、バス１２６、CPU１２７、ROM１２８、RAM１２９、および入出力インターフェース１３０を含むように構成される。
【００９０】
アンテナ１２１は、変調部１２２から供給された要求信号を、無線通信を介して、RFID２１あてに送信する。すなわち、例えば、アンテナ１２１は、変調部１２２から供給された要求信号を伝送するための電波を輻射する。また、アンテナ１２１は、RFID２１から送信されてきたID番号を受信し、受信したID番号を復調部１２４に供給する。
【００９１】
変調部１２２は、発振回路１２３から供給された所定の周波数のクロック信号を基に、搬送波を生成する。変調部１２２は、搬送波に基づいて、SPU１２５から供給された要求信号を所定の方式により変調することにより変調した要求信号を生成し、変調した要求信号をアンテナ１２１に供給する。例えば、変調部１２２は、SPU１２５から供給された要求信号に基づいて、搬送波の位相または搬送波の振幅を変化させることにより変調した要求信号を生成する。
【００９２】
より具体的には、例えば、変調部１２２は、発振回路１２３から供給される13.56MHzの周波数のクロック信号を搬送波として、SPU１２５より供給されるデータをASK変調し、生成された変調波を、電磁波としてアンテナ１２１から出力させる。
【００９３】
発振回路１２３は、所定の周波数の、基準となるクロック信号を生成し、生成したクロック信号を変調部１２２に供給する。
【００９４】
復調部１２４は、アンテナ１２１から供給された、変調されているID番号を、変調部７３の変調方式に対応する復調方式により復調し、復調したID番号をSPU１２５に供給する。例えば、復調部１２４は、アンテナ１２１を介して取得した変調波（ASK変調波）を復調し、復調されたデータをSPU１２５に出力する。
【００９５】
SPU１２５は、CPU１２７から供給された要求信号を、所定の方式により符号化し、符号化した要求信号を変調部１２２に供給する。また、SPU１２５は、復調部１２４から供給されたID番号を、ID番号の符号化方式に対応する復号方式により復号し、復号したID番号をCPU１２７に供給する。
【００９６】
例えば、SPU１２５は、RFID２１からのデータが復調部１２４から供給されてきたとき、そのデータに対して、例えば、マンチェスター符号化方式などの復号処理を施し、これにより取得したデータをバス１２６を介してCPU１２７に供給する。また、SPU１２５は、RFID２１に送信する要求信号がバス１２６を介して供給されてきたとき、その要求信号にマンチェスター符号化方式などの復号処理を施し、これにより得られた信号を変調部１２２に出力する。
【００９７】
バス１２６、CPU１２７、ROM１２８、RAM１２９、および入出力インターフェース１３０は、汎用の組み込み型のマイクロプロセッサまたは専用ＩＣなどからなる。CPU１２７は、ROM１２８またはRAM１２９に記憶されているプログラムを実行し、リーダ５３全体を制御する。
【００９８】
例えば、CPU１２７は、ID番号の送信を要求する旨の要求信号を生成し、生成した要求信号を、SPU１２５に供給する。また、CPU１２７は、SPU１２５から供給されたID番号を取得し、取得したID番号を入出力インターフェース１３０を介して音声再生記録装置４３に供給する。
【００９９】
ROM１２８は、CPU１２７が実行するプログラムや各種のデータを記憶している。
【０１００】
RAM１２９は、CPU１２７が実行するプログラムやデータを適宜記憶する。CPU１２７、ROM１２８、RAM１２９、およびSPU１２５は、バス１２６を介して相互に接続されている。
【０１０１】
また、バス１２６には、入出力インターフェース１３０が接続されている。入出力インターフェース１３０には、音声再生記録装置４３が接続されている。
【０１０２】
図７は、制御プログラムを実行する、音声再生記録装置４３のCPU９１により実現される機能の構成を示すブロック図である。
【０１０３】
音声情報データベース１５１は、カード１１に記載された文字または画像に対応する音声を出力するための音声情報を記録する。
【０１０４】
図８は、音声情報データベース１５１に記録されている音声情報の例を示す図である。図８で示される例において、音声情報データベース１５１は、音声を出力するための音声情報１７１−１乃至音声情報１７１−３を記録する。
【０１０５】
例えば、音声情報１７１−１は、カード１１−１に記載された文字または画像に対応する音声を出力するための音声情報である。音声情報１７１−１の名前は、＃１である。音声情報１７１−２は、カード１１−２に記載された文字または画像に対応する音声を出力するための音声情報である。音声情報１７１−２の名前は、＃２である。音声情報１７１−３は、カード１１−３に記載された文字または画像に対応する音声を出力するための音声情報である。音声情報１７１−３の名前は、＃３である。
【０１０６】
以下、音声情報１７１−１乃至音声情報１７１−３を個々に区別する必要がないとき、単に、音声情報１７１と称する。
【０１０７】
音声情報データベース１５１は、任意の数の音声情報１７１を記録する。
【０１０８】
関連付け情報データベース１５２は、音声情報データベース１５１に記録されている音声情報を特定する音声情報の名前とID番号との関連付けを示す関連付け情報を記録する。
【０１０９】
図９は、関連付け情報データベース１５２に記録されている関連付け情報の例を示す図である。図９で示される例において、関連付け情報データベース１５２は、音声情報データベース１５１に記録されている音声情報を特定する音声情報の名前とID番号との関連付けを示す関連付け情報１９１−１乃至関連付け情報１９１−３を記録する。
【０１１０】
例えば、関連付け情報１９１−１は、０００１であるID番号と、＃１である音声情報の名前との関連付けを示す。関連付け情報１９１−２は、０００２であるID番号と、＃２である音声情報の名前との関連付けを示す。関連付け情報１９１−３は、０００３であるID番号と、＃３である音声情報の名前との関連付けを示す。
【０１１１】
以下、関連付け情報１９１−１乃至関連付け情報１９１−３を個々に区別する必要がないとき、単に、関連付け情報１９１と称する。
【０１１２】
関連付け情報データベース１５２は、任意の数の関連付け情報１９１を記録する。
【０１１３】
音声情報名検索部１５３は、関連付け情報データベース１５２から、コントロールクリップ４２のリーダ５３から送信されてきたID番号に関連付けられている音声情報の名前を検索する。例えば、関連付け情報データベース１５２に図９で示される関連付け情報が記録されている場合、音声情報名検索部１５３は、コントロールクリップ４２のリーダ５３から、０００２であるID番号が送信されてきたとき、関連付け情報データベース１５２に記録されている関連付け情報１９１のうち、０００２であるID番号と、＃２である音声情報の名前との関連付けを示す関連付け情報１９１−２を特定する。そして、音声情報名検索部１５３は、関連付け情報データベース１５２（の関連付け情報１９１−２）から、＃２である音声情報の名前を検索する。
【０１１４】
音声情報名検索部１５３は、検索した音声情報の名前を音声情報読み出し部１５４に供給する。
【０１１５】
音声情報読み出し部１５４は、音声情報名検索部１５３から供給された、検索された音声情報の名前を基に、音声情報を読み出して、読み出した音声情報を出力する。例えば、音声情報名検索部１５３から、検索された音声情報の名前として、＃２である音声情報の名前が供給された場合、音声情報読み出し部１５４は、音声情報データベース１５１から、名前が＃２である音声情報１７１−２を読み出す。音声情報読み出し部１５４は、入出力インターフェース９５を介して、読み出した音声情報１７１−２をマイクロフォン付きヘッドフォン４１に出力する。
【０１１６】
例えば、読み出された音声情報１７１が符号化されている場合、CPU９１は、読み出された音声情報１７１を復号して、復号した結果得られた音声信号を入出力インターフェース９５およびコントロールクリップ４２を介してマイクロフォン付きヘッドフォン４１に供給する。
【０１１７】
音声情報取得部１５５は、音声情報１７１の記録が指示された場合、マイクロフォン５２により取得された音声の音声信号を基に、音声情報１７１を生成する。音声情報取得部１５５は、生成した音声情報１７１に所定の名前を付して、音声情報データベース１５１に供給する。音声情報データベース１５１は、音声情報取得部１５５から供給された音声情報１７１を記録する。
【０１１８】
また、音声情報取得部１５５は、生成した音声情報１７１に付した名前を関連付け処理部１５６に供給する。
【０１１９】
関連付け処理部１５６は、音声情報１７１の記録が指示された場合、音声情報取得部１５５から供給された音声情報１７１の名前と、コントロールクリップ４２のリーダ５３から送信されてきたID番号とを関連付けて、音声情報１７１の名前とID番号とを関連付ける（関連付けを示す）関連付け情報１９１を生成する。関連付け処理部１５６は、生成した関連付け情報１９１を関連付け情報データベース１５２に供給する。関連付け情報データベース１５２は、関連付け処理部１５６から供給された関連付け情報１９１を記録する。
【０１２０】
例えば、音声情報取得部１５５から、＃３である音声情報１７１の名前が供給され、コントロールクリップ４２のリーダ５３から、０００３であるID番号が供給された場合、関連付け処理部１５６は、０００３であるID番号と、＃３である音声情報の名前とを関連付けて、０００３であるID番号と＃３である音声情報の名前との関連付けを示す関連付け情報１９１−３を生成する。
【０１２１】
図１０のフローチャートを参照して、制御プログラムを実行する音声再生記録装置４３のCPU９１およびプログラムを実行するリーダ５３のCPU１２７による、再生の処理を説明する。ステップＳ１１において、リーダ５３のCPU１２７は、RFID２１に、ID番号の送信を要求する。より具体的には、ステップＳ１１において、CPU１２７は、SPU１２５に要求信号を供給して、SPU１２５、変調部１２２、およびアンテナ１２１に、ID番号の送信を要求する要求信号をRFID２１宛てに送信させる。
【０１２２】
図１１で示されるように、使用者２０１は、単語帳１から、所望の文字または画像が記載されているカード１１を選択して、選択したカード１１に接着されているRFID２１をコントロールクリップ４２のリーダ５３にかざす（近接させる）。例えば、使用者２０１は、一方の面に所望の単語が記載されているカード１１を選び、その単語を見て、さらにカード１１の他方の面に記載されている解答を見てから、そのカード１１に接着されているRFID２１をコントロールクリップ４２のリーダ５３にかざす。
【０１２３】
リーダ５３にかざされたRFID２１は、要求信号を受信して、要求信号に応じて記憶しているID番号を送信してくるので、ステップＳ１２において、CPU１２７は、アンテナ１２１、復調部１２４、およびSPU１２５に、ID番号を受信させる。アンテナ１２１、復調部１２４、およびSPU１２５は、RFID２１から送信されてきたID番号を受信して、復調するなどして、受信したID番号をCPU１２７に供給する。
【０１２４】
CPU１２７は、受信したID番号を、バス１２６および入出力インターフェース１３０を介して、音声再生記録装置４３に送信する。音声再生記録装置４３のCPU９１は、入力インターフェース９５に、コントロールクリップ４２のリーダ５３から送信されてきたID番号を受信させる。
【０１２５】
ステップＳ１３において、音声情報名検索部１５３は、受信したID番号に関連付けられた音声情報１７１の名前を関連付け情報データベース１５２から検索する。音声情報名検索部１５３は、検索の結果得られた音声情報１７１の名前を音声情報読み出し部１５４に供給する。
【０１２６】
ステップＳ１４において、音声情報読み出し部１５４は、検索の結果得られた音声情報１７１の名前を基に、音声情報データベース１５１からその名前で特定される音声情報１７１を読み出す。
【０１２７】
ステップＳ１５において、音声情報読み出し部１５４は、読み出された音声情報１７１を基に、音声の信号を再生する。音声情報読み出し部１５４は、入出力インターフェース９５に、再生した音声の信号をマイクロフォン付きヘッドフォン４１宛てに出力させる。マイクロフォン付きヘッドフォン４１は、音声再生記録装置４３から供給された音声の信号を基に、音声を出力して、処理は終了する。すなわち、図１２で示されるように、コントロールクリップ４２のリーダ５３にかざされたRFID２１が接着されているカード１１に記載されている文字または画像に関連付けられた音声がマイクロフォン付きヘッドフォン４１のラウドスピーカ５１から出力されることになる。
【０１２８】
このように、学習システムにおいて、文字または画像が記載されているカード１１に接着されているRFID２１をリーダ５３にかざすだけで、簡単に、カード１１に記載されている所望の画像または文字に対応する音声を出力するための音声情報を検索することができる。
【０１２９】
光磁気ディスク１１１に記録されている音楽の音声データを読み出して、読み出した音楽の音声データを基に音楽を再生している場合に、音声情報を基に音声を出力するようにしてもよい。
【０１３０】
図１３は、光磁気ディスク１１１に記録されている音楽の音声データを基に音楽を再生している場合に、音声情報を基に音声を出力するときの再生の処理を説明するフローチャートである。ステップＳ２１およびステップＳ２２の処理は、それぞれ、図１０のステップＳ１１およびステップＳ１２の処理のそれぞれと同様なので、その説明は省略する。
【０１３１】
ステップＳ２３において、音声情報名検索部１５３は、再生中のトラック番号をRAM９３に記憶する。すなわち、ステップＳ２３において、音声情報名検索部１５３は、再生中の音楽の音声データが読み出されている光磁気ディスク１１１のトラックのトラック番号を取得して、取得したトラック番号をRAM９３に記憶する。
【０１３２】
ステップＳ２４乃至ステップＳ２６の処理は、それぞれ、図１０のステップＳ１３乃至ステップＳ１５の処理のそれぞれと同様なので、その説明は省略する。
【０１３３】
ステップＳ２４およびステップＳ２５の処理において、光磁気ディスク１１１に格納されている音声情報データベース１５１および関連付けデータベース１５２から読み出しが行われるので、光磁気ディスク１１１からの音楽の音声データの読み出しは、一時的に停止することになる。
【０１３４】
カード１１に記載されている所望の画像または文字に対応する音声が出力されたのち、ステップＳ２７において、音声情報読み出し部１５４は、RAM９３に記憶されているトラック番号を基に、再生の開始を指示して、処理は終了する。例えば、ステップＳ２７において、音声情報読み出し部１５４は、RAM９３に記憶されているトラック番号を基に、ドライブ９８に、記憶されているトラック番号のトラックに格納されている音楽の音声データの読み出しを指示することにより、音楽の再生の開始を指示する。
【０１３５】
このように、光磁気ディスク１１１から音声データを読み出して、音楽を再生している場合であっても、文字または画像が記載されているカード１１に接着されているRFID２１をリーダ５３にかざすことによって、カード１１に記載のされている所望の画像または文字に対応する音声を出力するための音声情報を検索して、カード１１に記載のされている所望の画像または文字に対応する音声を出力し、その後、元の音楽を再生させることができる。
【０１３６】
さらに、ステップＳ２３において、トラックの再生経過時間を記憶し、ステップＳ２７において、再生経過時間を基に、再生の開始を指示するようにしてもよい。この場合、音楽をより連続して再生することができる。
【０１３７】
次に、図１４のフローチャートを参照して、制御プログラムを実行する音声再生記録装置４３のCPU９１およびプログラムを実行するリーダ５３のCPU１２７による、記録の処理を説明する。
【０１３８】
ステップＳ３１において、音声情報取得部１５５は、録音スタートスイッチ５５からの、音声の記録を開始させるか、または音声の記録を停止させる記録開始停止信号を基に、録音スタートスイッチ５５が押圧されたか否かを判定する。ステップＳ３１において、録音スタートスイッチ５５が押圧されていないと判定された場合、使用者２０１から記録が指示されていないので、ステップＳ３１に戻り、録音スタートスイッチ５５が押圧されたか否かの判定の処理が繰り返される。
【０１３９】
ステップＳ３１において、録音スタートスイッチ５５が押圧されたと判定された場合、使用者２０１から記録が指示されたので、ステップＳ３２に進み、音声情報取得部１５５は、記録の指示が受けつけられたことを使用者２０１に確認させるための確認音の信号を出力部９７のラウドスピーカに供給する。出力部９７のラウドスピーカは、記録の開始の指示が受けつけられたことを使用者に知らせる確認音を鳴らす。
【０１４０】
ステップＳ３３において、リーダ５３のCPU１２７は、RFID２１に、ID番号の送信を要求する。より具体的には、ステップＳ３３において、CPU１２７は、SPU１２５に要求信号を供給して、SPU１２５、変調部１２２、およびアンテナ１２１に、ID番号の送信を要求する要求信号をRFID２１宛てに送信させる。
【０１４１】
リーダ５３にかざされたRFID２１は、要求信号を受信して、要求信号に応じて記憶しているID番号を送信してくるので、ステップＳ３４において、CPU１２７は、アンテナ１２１、復調部１２４、およびSPU１２５に、ID番号を受信させる。アンテナ１２１、復調部１２４、およびSPU１２５は、RFID２１から送信されてきたID番号を受信して、復調するなどして、受信したID番号をCPU１２７に供給する。
【０１４２】
CPU１２７は、受信したID番号を、バス１２６および入出力インターフェース１３０を介して、音声再生記録装置４３に送信する。音声再生記録装置４３のCPU９１は、入力インターフェース９５に、コントロールクリップ４２のリーダ５３から送信されてきたID番号を受信する。
【０１４３】
ステップＳ３５において、音声情報取得部１５５は、ID番号の受信を使用者２０１に確認させるための確認音の信号を出力部９７のラウドスピーカに供給する。出力部９７のラウドスピーカは、ID番号の受信を使用者に知らせる確認音を鳴らす。
【０１４４】
ステップＳ３１乃至ステップＳ３５における使用者２０１の操作を説明すると次のようになる。
【０１４５】
図１５で示されるように、まず、使用者２０１は、単語帳１から、関連付けた音声の記録を所望する、文字または画像が記載されているカード１１を選択する。そして、使用者２０１は、コントロールクリップ４２の録音スタートスイッチ５５を押圧する。すると、音声再生記録装置４３が確認音を鳴らすので、使用者２０１は、選択したカード１１に接着されているRFID２１をコントロールクリップ４２のリーダ５３にかざす。
【０１４６】
ステップＳ３６において、音声情報取得部１５５は、マイクロフォン５２から供給されてくる、使用者２０１の音声の音声信号を基に、音声情報１７１を生成する。
【０１４７】
ステップＳ３７において、音声情報取得部１５５は、録音スタートスイッチ５５からの記録開始停止信号を基に、録音スタートスイッチ５５が押圧されたか否かを判定する。ステップＳ３７において、録音スタートスイッチ５５が押圧されていないと判定された場合、使用者２０１から記録の停止が指示されていないので、ステップＳ３７に戻り、録音スタートスイッチ５５が押圧されたか否かの判定の処理が繰り返される。この場合、音声情報取得部１５５は、マイクロフォン５２から供給されてくる、使用者２０１の音声の音声信号を基に、音声情報１７１を継続して生成する。
【０１４８】
ステップＳ３７において、録音スタートスイッチ５５が押圧されたと判定された場合、使用者２０１から記録の停止が指示されたので、音声情報取得部１５５は、生成した音声情報１７１に名前を付して、音声情報１７１の名前を関連付け処理部１５６に供給する。そして、手続きは、ステップＳ３８に進み、関連付け処理部１５６は、ステップＳ３６の処理で生成した音声情報１７１の名前と、ステップＳ３４の処理で取得したID番号とを関連付けて、音声情報１７１の名前とID番号との関連付けを示す関連付け情報１９１を生成する。
【０１４９】
ステップＳ３９において、音声情報データベース１５１は、ステップＳ３６の処理で生成された音声情報１７１を記録する。ステップＳ４０において、関連付け情報データベース１５２は、ステップＳ３８の処理で生成された関連付け情報１９１を記録して、処理は終了する。
【０１５０】
すなわち、図１６で示されるように、使用者２０１が、文字または画像が記載されているカード１１を選択して、録音スタートスイッチ５５を押圧してから、カード１１に接着されているRFID２１をリーダ５３にかざすと、コントロールクリップ４２のリーダ５３は、かざされたRFID２１からID番号を読み出す。
【０１５１】
そして、使用者２０１が、選択したカード１１に記載されている文字または画像に、関連付けようとする音声を発声すると、マイクロフォン５２が、その音声を取得して、音声情報取得部１５５は、取得された音声を出力するための音声情報１７１を生成する。
【０１５２】
関連付け処理部１５６は、かざされたRFID２１から読み出されたID番号と、生成された音声情報１７１の名前とを関連付けて、関連付け情報１９１を生成する。
【０１５３】
音声情報１７１は、音声情報データベース１５１に記録され、関連付け情報１９１は、関連付け情報データベース１５２に記録される。
【０１５４】
その結果、所望する文字または画像が記載されているカード１１に関連付けられた、所望の音声を出力するための音声情報１７１を簡単に記録することができる。
【０１５５】
このように記録された音声情報１７１は、図１０または図１３のフローチャートを参照して説明した処理で簡単に検索できる。
【０１５６】
なお、ステップＳ３２およびステップＳ３５において、確認音に代えて、出力部９７のランプであるLED（Light Emitting Diode）を発光（点滅）させるようにしてもよい。
【０１５７】
メモリカードに記憶されている音声情報を読み出して、リーダ５３において、音声情報を復号して出力させるようにすることもできる。
【０１５８】
図１７および図１８に、メモリカードに記憶されている音声情報を読み出して、リーダ５３において、音声情報を復号して出力する場合の、音声再生記録装置４３およびリーダ５３の機能の構成を示す。
【０１５９】
図１７は、音声再生記録装置４３の機能の他の構成を示すブロック図である。図５に示す場合と同様の部分には同一の符号を付してあり、その説明は省略する。
【０１６０】
メモリカードインターフェース３０１は、装着されているメモリカード３０２から、メモリカード３０２に記憶されている各種のデータまたはプログラムを読み出す。メモリカードインターフェース３０１は、装着されているメモリカード３０２から読み出した各種のデータまたはプログラムをCPU９１またはRAM９３に供給する。メモリカード３０２は、CPU９１が実行するプログラムや各種のデータを記憶する。
【０１６１】
例えば、メモリカード３０２は、音声情報１７１または関連付け情報１９１などを記憶する。例えば、音声情報データベース１５１および関連付け情報データベース１５２は、メモリカード３０２に構築されている。
【０１６２】
入出力インターフェース９５は、CPU９１の制御の基に、メモリカード３０２から読み出した音声情報１７１をコントロールクリップ４２のリーダ５３に供給する。
【０１６３】
図１８は、リーダ５３の機能の他の構成を示すブロック図である。図６に示す場合と同様の部分には同一の符号を付してあり、その説明は省略する。
【０１６４】
入出力インターフェース１３０は、CPU１２７の制御の基に、コントロールクリップ４２から送信されてくる音声情報１７１を受信する。入出力部３２１は、CPU１２７の制御の基に、音声情報１７１から、音声の信号を再生する。入出力部３２１は、CPU１２７の制御の基に、再生した音声の信号をマイクロフォン付きヘッドフォン４１宛てに出力する。
【０１６５】
図１９のフローチャートを参照して、メモリカード３０２に記憶されている音声情報１７１を読み出して、リーダ５３において、音声情報を復号して出力する場合の、制御プログラムを実行する音声再生記録装置４３のCPU９１およびプログラムを実行するリーダ５３のCPU１２７による、再生の他の処理を説明する。
【０１６６】
ステップＳ５１およびステップＳ５２の処理のそれぞれは、図１０のステップＳ１１およびステップＳ１２の処理のそれぞれと同様なので、その説明は省略する。
【０１６７】
ステップＳ５３において、音声情報名検索部１５３は、受信したID番号に関連付けられた音声情報１７１の名前を、メモリカード３０２に構築されている関連付け情報データベース１５２から検索する。音声情報名検索部１５３は、検索の結果得られた音声情報１７１の名前を音声情報読み出し部１５４に供給する。
【０１６８】
ステップＳ５４において、音声情報読み出し部１５４は、検索の結果得られた音声情報１７１の名前を基に、メモリカード３０２に構築されている音声情報データベース１５１からその名前で特定される音声情報１７１を読み出す。
【０１６９】
ステップＳ５５において、音声情報読み出し部１５４は、入出力インターフェース９５に、メモリカード３０２から読み出した音声情報１７１をコントロールクリップ４２のリーダ５３に供給させる。
【０１７０】
ステップＳ５６において、リーダ５３のCPU１２７は、入出力部３２１に、音声再生記録装置４３から供給された音声情報１７１を基に、音声の信号を再生させる。CPU１２７は、入出力部３２１に、再生した音声の信号をマイクロフォン付きヘッドフォン４１宛てに出力させる。マイクロフォン付きヘッドフォン４１は、コントロールクリップ４２から供給された音声の信号を基に、音声を出力して、処理は終了する。
【０１７１】
このように、メモリカード３０２に記憶されている音声情報を読み出して、リーダ５３において、音声情報を復号して出力させるようにした場合も、文字または画像が記載されているカード１１に接着されているRFID２１をリーダ５３にかざすだけで、簡単に、カード１１に記載のされている所望の画像または文字に対応する音声を出力するための音声情報を検索することができる。
【０１７２】
例えば、英語の単語の暗記を目的とした学習において、学習者は、アルファベットのつづりと発音を中心に覚えるが、中国語の単語の暗記を目的とした学習においては、学習者は、中国語の単語（漢字）およびピンイン並びに発音および発声の抑揚を関連付けて覚える必要がある。また、ピンインだけを見ながら正確な発声の抑揚を表現することは、中国語の初学者には困難である。
【０１７３】
本発明の学習システムにおいて、カード１１に中国語の単語およびピンインを記載し、中国語の単語に対応する音声を出力するようにした場合、使用者２０１は、中国語の単語（漢字）およびピンインを視覚的に確認しながら、中国語の発音と中国語特有の発声の抑揚とを耳で聞いて、中国語の単語（漢字）およびピンイン並びに発音および発声の抑揚を関連付けながら、容易に学習することができる。
【０１７４】
本発明によれば、紙の単語帳１および汎用のRFID２１を利用することができるので、発音および発声の抑揚を音声で出力するシステムをより安価に実現することができる。さらに、本発明によれば、所望の単語について、発音および発声の抑揚示す音声を記録することができる。
【０１７５】
なお、１つのカード１１に１つのRFID２１が設けられていると説明したが、１つのカード１１に複数のRFID２１を設けるようにしてもよい。
【０１７６】
さらに、カード１１の大きさやカード１１に記載される文字または画像の配置は、任意とすることができ、本発明を限定するものではない。
【０１７７】
なお、マイクロフォン付きヘッドフォン、コントロールクリップ、および音声再生記録装置は、個々の装置であると説明したが、上述したマイクロフォン付きヘッドフォン、コントロールクリップ、および音声再生記録装置の機能の総てを、１つの装置に設けるようにしてもよい。上述したマイクロフォン付きヘッドフォン、コントロールクリップ、および音声再生記録装置の機能を、任意の数の装置に分けて設けることができる。
【０１７８】
また、カード１１は、紙からなると説明したが、紙に限らず、カード状に形成でき、その表面に文字または画像を記載することができる素材で形成されるようにしてもよい。さらに好ましくは、カード１１は、RFID２１とリーダ５３との通信を阻害しない素材（材質）で形成される。例えば、カード１１は、フィルム状の樹脂で形成することができる。
【０１７９】
上述したように、RFIDが音声情報を記憶する場合に比較して、より安価なRFID２１を使用し、より安価な記録媒体（例えば、光磁気ディスク１１１）に音声情報１７１を記録することができるので、より安価に学習システムを実現することができ、外国語の習得を目指す学生に広く普及させることが可能になる。
【０１８０】
なお、学習に用いる言語は、当然、本発明を限定するものではない。さらに、カード１１に記載される文字または画像は、当然、本発明を限定するものではない。
【０１８１】
このように、カードに文字または画像を記載するようにした場合には、視覚によって情報を確認することができる。また、連結手段により連結されたカードのそれぞれに設けられている、個々のカードを識別するための識別情報を送信し、識別情報を受信し、カードに記載された文字または画像に対応する音声を出力するための音声情報を特定する音声特定情報と識別情報との関連付けを示す関連付け情報であって、予め記録されている関連付け情報から、受信した識別情報に関連付けられている音声特定情報を検索し、検索された音声特定情報を基に、予め記録されている音声情報を読み出すようにした場合には、簡単に、所望の視覚の情報に対応する音声を出力するための音声情報を検索することができる。
【０１８２】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１８３】
この記録媒体は、図５、図６、図１７、または図１８に示すように、コンピュータとは別に、ユーザにプログラムを提供するために配布される、プログラムが記録されている光磁気ディスク１１１（ＭＤ(Mini-Disc)（商標）を含む）、半導体メモリからなるメモリカード３０２、図示せぬ磁気ディスク（フレキシブルディスクを含む）、若しくは図示せぬ光ディスク（CD-ROM(Compact Disc-Read Only Memory)、ＤＶＤ(Digital Versatile Disc)を含む）などよりなるパッケージメディアにより構成されるだけでなく、コンピュータに予め組み込まれた状態でユーザに提供される、プログラムが記録されているROM９２若しくはROM１２８や、図示せぬハードディスクなどで構成される。
【０１８４】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０１８５】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１８６】
なお、本明細書において、システムとは、複数の装置により構成される装置全体を表すものである。
【図面の簡単な説明】
【０１８７】
【図１】学習システムを構成する単語帳の形態を示す図である。
【図２】学習システムを構成する単語帳の形態を示す図である。
【図３】学習システムを構成するマイクロフォン付きヘッドフォン、コントロールクリップ、および音声記録装置の形態を示す図である。
【図４】RFIDの機能の構成を示すブロック図である。
【図５】音声再生記録装置の機能の構成を示すブロック図である。
【図６】リーダの機能の構成を示すブロック図である。
【図７】制御プログラムを実行する音声再生記録装置のCPUにより実現される機能の構成を示すブロック図である。
【図８】音声情報データベースに記録されている音声情報の例を示す図である。
【図９】関連付け情報データベースに記録されている関連付け情報の例を示す図である。
【図１０】再生の処理を説明するフローチャートである。
【図１１】使用者による、選択したカードに接着されているRFIDをコントロールクリップのリーダにかざす操作を説明する図である。
【図１２】リーダにかざされたRFIDが接着されているカードに記載されている文字または画像に関連付けられた音声がマイクロフォン付きヘッドフォンのラウドスピーカから出力される動作を説明する図である。
【図１３】再生の処理を説明するフローチャートである。
【図１４】記録の処理を説明するフローチャートである。
【図１５】使用者による、選択したカードに接着されているRFIDをコントロールクリップのリーダにかざす操作を説明する図である。
【図１６】記録の処理を説明する図である。
【図１７】音声再生記録装置の機能の他の構成を示すブロック図である。
【図１８】リーダの機能の他の構成を示すブロック図である。
【図１９】再生の他の処理を説明するフローチャートである。
【符号の説明】
【０１８８】
１  単語帳，  １１−１乃至１１−５，１１  カード，  １２  リング，  ２１−１乃至２１−５，２１  RFID，  ４１  マイクロフォン付きヘッドフォン，  ４２  コントロールクリップ，  ４３  音声再生記録装置，  ５１  ラウドスピーカ，  ５２  マイクロフォン，  ５３  リーダ，  ５５  録音スタートスイッチ，  ７１  アンテナ，  ７３  変調部，  ７６  SPU，  ７８  CPU，  ７９  ROM，  ９１  CPU，  ９２  ROM，  ９３  RAM，  ９８  ドライブ，  １１１  光磁気ディスク，  １２１  アンテナ，  １２４  復調部，  １２５  SPU，  １２７  CPU，  １２８  ROM，  １２９  RAM，  １５１  音声情報データベース，  １５２  関連付け情報データベース，  １５３  音声情報名検索部，  １５４  音声情報読み出し部，  １５５  音声情報取得部，  １５６  関連付け処理部，  １７１−１乃至１７１−３，１７１  音声情報，  １９１−１乃至１９１−３，１９１  関連付け情報，  ３０１  メモリカードインターフェース，  ３０２  メモリカード，  ３２１  入出力部
【図１】
2005308875.tif 000004
【図２】
2005308875.tif 000005
【図３】
2005308875.tif 000006
【図４】
2005308875.tif 000007
【図５】
2005308875.tif 000008
【図６】
2005308875.tif 000009
【図７】
2005308875.tif 000010
【図８】
2005308875.tif 000011
【図９】
2005308875.tif 000012
【図１０】
2005308875.tif 000013
【図１１】
2005308875.tif 000014
【図１２】
2005308875.tif 000015
【図１３】
2005308875.tif 000016
【図１４】
2005308875.tif 000017
【図１５】
2005308875.tif 000018
【図１６】
2005308875.tif 000019
【図１７】
2005308875.tif 000020
【図１８】
2005308875.tif 000021
【図１９】
2005308875.tif 000022